(57)【要約】    【課題】  上枠及び下セット板の左右両側に側枠を装着した分割構造を採用しながらも前枠の剛性を容易に確保できるようにする。    【解決手段】  遊技盤３の上下に配置された上枠４５及び下セット板１０と、上枠４５及び下セット板１０の左右両側の取り付け部４６，４７に装着された左右一対の側枠５０とを含む前枠２を備えている。上枠４５は上枠４５の左右両端からその下側部分に取り付け部４６を備え、下セット板１０は下セット板１０の左右両端からその上側部分に取り付け部４７を備える。側枠５０は各取り付け部４６，４７に螺合する固定ネジ４８ａ，４９ａにより固定する。【選択図】図４
2014083276.tif 000002
【特許請求の範囲】
【請求項１】
遊技盤の上下に配置された上枠及び下セット板と、前記上枠及び前記下セット板の左右両側の取り付け部に装着された左右一対の側枠とを含む前枠を備えた弾球遊技機において、前記上枠は該上枠の左右両端からその下側部分に前記取り付け部を備え、前記下セット板は該下セット板の左右両端からその上側部分に前記取り付け部を備えたことを特徴とする弾球遊技機。
【請求項２】
前記側枠を前記各取り付け部に螺合するネジにより固定したことを特徴とする請求項１に記載の弾球遊技機。
【請求項３】
前記上枠は前記遊技盤の上側に左右方向に配置された上枠部と、該上枠部の両端部から前記遊技盤の左右両側へと下向きに突出する突出部と、前記上枠部と前記突出部とを連結し且つ前記遊技盤が前側から当接する補強部とを一体に備えたことを特徴とする請求項１又は２に記載の弾球遊技機。
【請求項４】
前記下セット板は前記遊技盤を下側から支持する遊技盤支持部と、該遊技盤支持部の両端部から前記遊技盤の左右両側へと上向きに突出する突出部と、前記技盤支持部と前記突出部とを連結し且つ前記遊技盤が前側から当接する補強部とを一体に備えたことを特徴とする請求項１〜３の何れかに記載の弾球遊技機。
【請求項５】
前記上枠及び前記下セット板は合成樹脂製であり、前記側枠は板金、型材等の金属製であり、前記下セット板と前記側枠とを前記遊技盤の裏側で連結する補強部材を備えたことを特徴とする請求項１〜４の何れかに記載の弾球遊技機。
【請求項６】
枠側コネクタを前記補強部材に備え、前記遊技盤の裏側に、該遊技盤を前記前枠に着脱する場合に前記枠側コネクタに電気的に着脱する盤側コネクタを備えたことを特徴とする請求項５に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機は、遊技島に固定される外枠と、この外枠に開閉自在に枢着された前枠と、この前枠の遊技盤装着部に前側から着脱自在に装着された遊技盤と、前枠に開閉自在に枢着され且つ遊技盤の遊技領域を視認可能なガラス扉とを備えている。
【０００３】
前枠には遊技盤の上下に配置された上枠及び下セット板と、この上枠、下セット板の左右両側に配置された左右一対の側枠とを含む全体を合成樹脂材により一体に成型した一体構造のものと（特許文献１）、上枠、下セット板とを合成樹脂製とし、左右一対の側枠を型材等の金属製として、各側枠をネジにより上枠、下セット板の左右両端の取り付け部に固定した分割構造のもの（特許文献２、３）とがある。
【先行技術文献】
【特許文献】
【０００４】
【特許文献１】特開２００９−５８０５号公報
【特許文献２】特開２０１１−１６１０５２号公報
【特許文献３】特開２０１２−１６１４１０号公報
【発明の概要】
【発明が解決しようとする課題】
【０００５】
従来の一体構造の前枠は、その前枠の大きさに応じた大型の射出成型機が必要であり、膨大な設備投資が必要となる問題がある。一方、従来の分割構造の前枠では、上枠、下セット板に見合う射出成型機があればよいので、射出成型機を小型化できる利点がある。
【０００６】
しかし、分割構造の前枠は、合成樹脂製の上枠、下セット板の左右両端の取り付け部に外側からネジを螺合して側枠を固定しているため、その結合部分の剛性が低下する問題がある。特に上枠は下セット板と比較して上下幅が小さいため、その両端の取り付け部の上下幅が小さくなる。そのため上枠側で前枠の剛性が低下し易くなるという問題がある。
【０００７】
本発明は、このような従来の問題点に鑑み、上枠及び下セット板の左右両側に側枠を装着した分割構造を採用しながらも前枠の剛性を容易に確保できる弾球遊技機を提供することを目的とする。
【課題を解決するための手段】
【０００８】
本発明は、遊技盤３の上下に配置された上枠４５及び下セット板１０と、前記上枠４５及び前記下セット板１０の左右両側の取り付け部４６，４７に装着された左右一対の側枠５０とを含む前枠２を備えた弾球遊技機において、前記上枠４５は該上枠４５の左右両端からその下側部分に前記取り付け部４６を備え、前記下セット板１０は該下セット板１０の左右両端からその上側部分に前記取り付け部４７を備えたものでる。
【０００９】
前記側枠５０を前記各取り付け部４６，４７に螺合する固定ネジ４８ａ，４９ａにより固定したものでもよい。前記上枠４５は前記遊技盤３の上側に左右方向に配置された上枠部４５ａと、該上枠部４５ａの両端部から前記遊技盤３の左右両側へと下向きに突出する突出部４５ｂと、前記上枠部４５ａと前記突出部４５ｂとを連結し且つ前記遊技盤３が前側から当接する補強部４５ｃとを一体に備えたものでもよい。
【００１０】
前記下セット板１０は前記遊技盤３を下側から支持する遊技盤支持部１０ａと、該遊技盤支持部１０ａの両端部から前記遊技盤３の左右両側へと上向きに突出する突出部１０ｂと、前記遊技盤支持部１０ａと前記突出部１０ｂとを連結し且つ前記遊技盤３が前側から当接する補強部１０ｃとを一体に備えたものでもよい。
【００１１】
前記上枠４５及び前記下セット板１０は合成樹脂製であり、前記側枠５０は板金、型材等の金属製であり、前記下セット板１０と前記側枠５０とを前記遊技盤３の裏側で連結する補強部材７４を備えたものでもよい。枠側コネクタ１３を前記補強部材７４に備え、前記遊技盤３の裏側に、該遊技盤３を前記前枠２に着脱する場合に前記枠側コネクタ１３に電気的に着脱する盤側コネクタ１１を備えたものでもよい。
【発明の効果】
【００１２】
本発明によれば、上枠及び下セット板の左右両側に側枠を装着した分割構造を採用しながらも前枠の剛性を容易に確保できる利点がある。
【図面の簡単な説明】
【００１３】
【図１】本発明の第１の実施形態を示すパチンコ機の斜視図である。
【図２】同パチンコ機の前枠、遊技盤の正面図である。
【図３】同パチンコ機の背面図である。
【図４】同前枠の斜視図である。
【図５】同パチンコ機の一部破断平面図である。
【図６】同上枠と側枠との結合部の一部破断正面図である。
【図７】同上枠と側枠との結合部の一部破断正面図である。
【図８】同上枠と側枠との結合部の断面図である。
【図９】同下セット板と側枠との結合部の一部破断正面図である。
【図１０】同下セット板と側枠との結合部の分解斜視図である。
【図１１】同ジョイント部の側面断面図である。
【図１２】同ジョイント部の平面断面図である。
【図１３】本発明の第２の実施形態を示す前枠の正面図である。
【図１４】同要部の平面断面図である。
【図１５】本発明の第３の実施形態を示す補強部材の取り付け部の断面図である。
【図１６】本発明の第４の実施形態を示す下セット板の端部の正面図である。
【図１７】本発明の第５の実施形態を示す要部の斜視図である。
【図１８】本発明の第６の実施形態を示す下セット板の一部破断正面図である。
【発明を実施するための形態】
【００１４】
以下、本発明の実施形態を図面に基づいて詳述する。図１〜図１２は本発明をパチンコ機に採用した第１の実施形態を例示している。図１〜図３において、パチンコ機は、機枠を構成する矩形状の外枠１と、外枠１の前側に開閉自在に枢着された前枠２と、前枠２に着脱自在に装着された遊技盤３と、前枠２の前側に開閉自在に枢着され且つ遊技盤３の遊技領域４を視認可能なガラス扉５と、前枠２のガラス扉５の下側の下セット板１０の前面に開閉自在に枢着された前面扉６とを備えている。
【００１５】
前枠２は左右一端側で上下一対のヒンジ７により開閉自在に枢着され、またガラス扉５、前面扉６はヒンジ７と略同一軸芯上に配置されたヒンジ８により前枠２に開閉自在に枢着されている。遊技盤３は前枠２の遊技盤装着部９に対して前側から着脱自在であり、遊技盤３の裏側には盤側コネクタ１１を有する盤側ジョイント部１２が、前枠２側には枠側コネクタ１３を有する枠側ジョイント部１４が夫々設けられ、遊技盤３を遊技盤装着部９に着脱する際に、盤側ジョイント部１２の盤側コネクタ１１が枠側ジョイント部１４の枠側コネクタ１３に電気的に着脱自在に接続するようになっている。
【００１６】
ガラス扉５には遊技盤３の遊技領域４に対応する窓孔１５を有する扉枠１６と、扉枠１６の前側に装着された化粧カバー１７と、窓孔１５に対応して扉枠１６の裏側に装着されたガラスユニット１８とを備え、窓孔１５のガラスユニット１８を介して遊技盤３の遊技領域４を視認できるようになっている。
【００１７】
前面扉６には発射用の遊技球を貯留する球供給皿１９と、発射手段２０の遊技球の発射動作に連動して球供給皿１９からの遊技球を発射手段２０へと１個ずつ送る球送り手段（図示省略）と、遊技者が把持して発射手段２０を作動させる発射ハンドル２１とが設けられている。球供給皿１９の前側にはチャンスボタン２２が設けられている。下セット板１０には発射手段２０とスピーカユニット２３とが装着されている。なお、下セット板１０には他の内部機構を装着してもよい。
【００１８】
発射手段２０は下セット板１０の前面に装着された板金製の支持板２５と、支持板２５の前面に固定された発射レール２６と、支持板２５の前面で前後方向の駆動軸２７廻りに揺動自在に支持された打撃槌２８と、支持板２５の裏側に装着され且つ打撃槌２８を打撃方向に駆動するロータリソレノイド等の発射駆動手段２９等を備え、発射ハンドル２１を把持して操作したときに発射駆動手段２９により打撃槌２８を打撃方向（時計廻り）に間欠的に駆動することにより、球供給皿１９から発射レール２６上に供給された遊技球を打撃槌２８で打撃して遊技盤３側へと発射させるようになっている。なお、前面扉６にはスピーカユニット２３に対応して発射ハンドル２１の周辺に小孔状の放音口が設けられている。
【００１９】
遊技盤３の前面には、図２に示すように、発射手段２０から発射された遊技球を案内するガイドレール３１が略円弧状に配置されると共に、そのガイドレール３１の内側の遊技領域４に画像表示手段３２、普通図柄始動手段３３、特別図柄始動手段３４、可変入賞手段３５、普通入賞手段３６、普通図柄表示手段３７、特別図柄表示手段３８等の各種の遊技部品が配置されている。
【００２０】
画像表示手段３２は遊技領域４の左右方向の略中央の上部に配置され、特別図柄始動手段３４と可変入賞手段３５は画像表示手段３２の下側に上下に配置されている。普通入賞手段３６は可変入賞手段３５の左右両側に設けられている。特別図柄始動手段３４は非開閉式入賞口３４ａと開閉式入賞口３４ｂとを有する。普通図柄始動手段３３は画像表示手段３２とガイドレール３１との間に配置されている。画像表示手段３２は液晶式等の画像表示部３０と、画像表示部３０に対応する表示窓を有し且つ遊技盤３の前面に装着された前飾り枠３９とを備えている。前飾り枠３９の上部側の前面に普通図柄表示手段３７と特別図柄表示手段３８とが装着されている。
【００２１】
普通図柄表示手段３７は普通図柄を変動表示するためのもので、複数種類の普通図柄（例えば２種類の「○」「×」）に対応する複数個の発光素子により構成されており、普通図柄始動手段３３が遊技球を検出することを条件に２個の発光素子が交互に点灯するように所定時間点滅して、普通図柄始動手段３３の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。
【００２２】
特別図柄表示手段３８は発光部位の変化等で特別図柄を変動表示可能なセグメント式等により構成されており、特別図柄始動手段３４が遊技球を検出することを条件に、特別図柄が所定時間変動して、特別図柄始動手段３４の遊技球の検出時に抽選された乱数値が予め定められた大当たり判定値と一致した場合に所定の大当たり態様で、それ以外の場合に外れ態様で停止するようになっている。
【００２３】
特別図柄始動手段３４の開閉式入賞口３４ｂは、普通図柄表示手段３７の変動後の停止図柄が当たり態様となったときに所定時間（短時間）だけ開放するようになっている。可変入賞手段３５は開閉板３５ａを有し、特別図柄表示手段３８の変動後の特別図柄が大当たり態様となって特別遊技状態が発生したときに開閉板３５ａが前側に開放して、上方から落下する遊技球を入賞させるようになっている。特別遊技状態中は開閉板３５ａの開放から所定時間（例えば３０秒程度）が経過するか、その間に所定数（例えば１０個）の遊技球が入賞したときに開閉板３５ａを閉じる動作を１ラウンドとし、この動作を所定回数（例えば１６ラウンド）継続するようになっている。
【００２４】
画像表示部３０は特別図柄表示手段３８の特別図柄に対応する演出図柄４２ａ〜４２ｃを変動表示する等、遊技の進行に従って適宜タイミングで各種の演出画像を随時表示するものである。即ち、特別図柄表示手段３８の特別図柄の変動に際しては、その特別図柄の変動に同期して１個又は複数個、例えば３個の演出図柄４２ａ〜４２ｃが画像表示部３０に変動表示される。このとき演出図柄４２ａ〜４２ｃは特別図柄始動手段３４の遊技球の検出を条件に、抽選により決定された所定の演出図柄変動パターンを経て所定時間変動した後、特別図柄の変動終了に同期して所定の順序（例えば左、右、中等の順序）で順次停止する。
【００２５】
演出図柄４２ａ〜４２ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。
【００２６】
例えば、演出図柄４２ａ〜４２ｃには０〜９までの数字図柄が使用されており、特別図柄が大当たり態様で停止する場合には演出図柄４２ａ〜４２ｃは「７・７・７」等の大当たり演出態様で停止し、特別図柄が外れ態様で停止する場合には演出図柄４２ａ〜４２ｃは「２・３・４」等の外れ演出態様で停止する。
【００２７】
画像表示手段３２は変動後の特別図柄が大当たり態様となる信頼度の高い演出図柄変動パターンを抽選したとき等、遊技者に対して期待感を抱かせる所定の遊技状態、例えば１個の演出図柄４２ｂを除く２個の演出図柄４２ａ，４２ｃが同じとなるリーチとなった場合に、画像表示部３０の所定箇所にチャンスボタン２２の操作を指示する操作指示画像４３が表示される。
【００２８】
そして、例えば特別図柄始動手段３４が遊技球を検出したときに大当たりを抽選しており、変動後の特別図柄が大当たり態様となった後に特別遊技状態が発生する場合には、その操作指示画像４３に従って図柄変動中に適宜タイミングでチャンスボタン２２を押圧操作すれば、チャンスボタン２２が明滅発光する発光状態となって、その後の大当たり態様での特別図柄の停止、及びこれに続く特別遊技状態の発生を予告する。
【００２９】
前枠２は、図２〜図５に示すように、遊技盤３の上下両側に配置された合成樹脂製の上枠４５及び下セット板１０と、この上枠４５及び下セット板１０の左右両端の取り付け部４６，４７に固定具４８，４９により固定された板金、型材等の金属製の左右一対の側枠５０とを含んでおり、その上枠４５、下セット板１０及び側枠５０の間に、遊技盤３を着脱自在に装着する遊技盤装着部９が設けられている。遊技盤装着部９内の遊技盤３は上下一対の固定手段５２により着脱自在に締結されている。
【００３０】
上枠４５は、図６〜図８に示すように、遊技盤３の上側で左右方向に配置された上枠部４５ａと、この上枠部４５ａの左右両端から遊技盤３の上部側の左右両側へと下向きに突出する下向き突出部４５ｂと、上枠部４５ａの下側と下向き突出部４５ｂの内側とを連結して補強し且つ遊技盤３が前側から当接する補強部４５ｃとを一体に有し、上枠部４５ａ及び下向き突出部４５ｂに跨がって両端に取り付け部４６が設けられている。
【００３１】
なお、上枠４５には上枠部４５ａの前端から上側に突出し且つ外枠１の前面に対応する前壁部４５ｄと、前壁部４５ｄの上端からガラス扉５の上側で前側へと屈曲する上周壁部４５ｅとが設けられている。下向き突出部４５ｂと補強部４５ｃは略同じ突出高さとなっている。
【００３２】
上枠４５の取り付け部４６には、図６〜図８に示すように、上下、前後の複数箇所に配置された固定具４８、例えば固定ネジ４８ａにより側枠５０が着脱自在に固定されている。即ち、上枠４５の取り付け部４６には上端部、中間部及び下端部に前後方向に複数個の取り付けボス等の固定部４６ａが一体に設けられ、側枠５０を外側から貫通して各固定部４６ａに螺合する複数本の固定ネジ４８ａにより、側枠５０が上枠４５の取り付け部４６に固定されている。
【００３３】
下セット板１０は、図２、図９、図１０に示すように、その正面に発射手段２０、スピーカユニット２３等が装着されると共に、上端側に遊技盤３を下側から支持する左右方向の遊技盤支持部１０ａと、遊技盤支持部１０ａの左右両端部から遊技盤３の左右両側へと上向きに突出する上向き突出部１０ｂと、遊技盤支持部１０ａと上向き突出部１０ｂとを連結して補強し且つ遊技盤３が前側から当接する補強部１０ｃとを一体に有し、遊技盤支持部１０ａ及び上向き突出部１０ｂに跨がって両端に取り付け部４７が設けられている。なお、遊技盤３には各突出部１０ｂ，４５ｂに対応して四隅に切り欠き部５４，５５が設けられている。補強部１０ｃ，４５ｃは突出部１０ｂ，４５ｂと略同等の高さである。
【００３４】
下セット板１０の取り付け部４６，４７には上下、前後の複数箇所に配置された固定具４９、例えば固定ネジ４９ａにより側枠５０が着脱自在に固定されている。例えば下セット板１０の取り付け部４７には上端部、下端部及び１又は複数箇所の中間部に複数個の取り付けボス等の固定部４７ａが一体に設けられ、上枠４５側と同様に側枠５０を外側から貫通して各固定部４７ａに螺合する複数本の固定ネジ４９ａにより、側枠５０が上枠４５の取り付け部４７に固定されている。
【００３５】
一方の側枠５０には、図６、図９に示すように、各ヒンジ７，８用のヒンジブラケット７ａ，８ａが固定されている。上端のヒンジブラケット７ａは、図６に示すように、Ｌ字状に屈曲形成された装着部７ｂが上枠４５と側枠５０とに跨がって配置され、その装着部７ｂの上面部が固定ネジ７ｃにより上枠４５の上側に、側面部が固定ネジ４８ａにより取り付け部４６の固定部４６ａに夫々固定されている。従って、上端のヒンジブラケット７ａは取り付け部４６の上下幅内に配置され、そのヒンジブラケット７ａに対応してその近傍に固定部４６ａが位置している。他の各ヒンジブラケット７ａ，８ａも、図６、図９に示すように、上枠４５及び下セット板１０の取り付け部４６，４７の上下幅内に配置され、その各ヒンジブラケット７ａ，８ａに対応してその近傍に固定部４６ａ，４７ａが位置している。
【００３６】
左右の側枠５０には例えばアルミ系合金等の型材が使用されている。この側枠５０は、図４、図５、図１２に示すように、上枠４５及び下セット板１０の取り付け部４６，４７に当接する側板部５０ａと、側板部５０ａの前端から左右方向の外側へと突出し且つ外枠１の前面に対応する側前面部５０ｂと、側前面部５０ｂの前端からガラス扉５の外側で前へと屈曲する横周壁部５０ｃとを一体に有し、外側から側板部５０ａに挿通されて固定部４７ａに螺合する複数本の固定ネジ４９ａにより上枠４５及び下セット板１０の取り付け部４７に固定されている。なお、上周壁部４５ｅ、横周壁部５０ｃはガラス扉５の外側にあり、閉鎖したときのガラス扉５が上周壁部４５ｅ、横周壁部５０ｃの内側に収まるようになっている。上枠４５、側枠５０の前後幅は略同じである。
【００３７】
前枠２には左右の側枠５０と上枠４５の上枠部４５ａと下セット板１０の遊技盤支持部１０ａとの間で各補強部１０ｃ，４５ｃから前側に遊技盤装着部９が形成されている。遊技盤装着部９には、ヒンジ７，８側の側枠５０の内側面に係合部５７が、下セット板１０のヒンジ７，８側の補強部１０ｃの前面に付勢手段５８が夫々設けられ、またヒンジ７，８と反対側の端部に遊技盤３用の固定手段５２が設けられている。
【００３８】
係合部５７は遊技盤装着部９内に遊技盤３を装着する際に遊技盤３の一端側前縁を係合して、遊技盤支持部１０ａ上の遊技盤３をその一端側を支点（原点）として遊技盤装着部９内に押し込むためのものであり、遊技盤３の前縁に対応して上下方向に１個又は複数個設けられている。付勢手段５８は遊技盤装着部９内の遊技盤３の固定手段５２と反対側を前側へと付勢して、遊技盤装着部９内の遊技盤３の一端側前縁を係合部５７に押圧することにより遊技盤３のガタツキを防止するためのものである。
【００３９】
固定手段５２は上下に二組あり、図４、図７、図１１に示すように、上枠４５及び下セット板１０の補強部１０ｃ，４５ｃに設けられた前後方向の回動軸５２ａと、この回動軸５２ａの前端に設けられた操作部５２ｂ等を有し、遊技盤３の上下両側に形成された切り欠き部５９に対応して設けられている。この固定手段５２は操作部５２ｂを切り欠き部５９に合わせた状態のときに切り欠き部５９を相対的に通過可能であり、また操作部５２ｂを締結方向に操作したときに切り欠き部５９の内面を介して遊技盤３をヒンジ７，８側に押圧しながら補強部１０ｃ，４５ｃ側へと締結して固定するようになっている。なお、この固定手段５２は遊技盤３を補強部１０ｃ，４５ｃ側へと押圧すればよく、必ずしも補強部１０ｃ，４５ｃに設ける必要はない。
【００４０】
遊技盤３の裏面側には、図３、図５に示すように、画像表示手段３２、可変入賞手段３５等の遊技部品を後側から覆う裏カバー６０が装着され、この裏カバー６０の背面側に主基板ケース６１、演出基板ケース６２、液晶基板ケース６３等が着脱自在に装着されている。主基板ケース６１には主制御基板６１ａが、演出基板ケース６２には演出制御基板６２ａが、液晶基板ケース６３には液晶制御基板６３ａが夫々収容されている。
【００４１】
裏カバー６０は上部側の上部カバー６４と下部側の集球ケース６５とで構成されており、これら上部カバー６４と集球ケース６５は遊技盤３の裏面に個別に装着されている。集球ケース６５は可変入賞手段３５等に入賞して遊技盤３の裏側に案内された遊技球を下セット板１０の排出部６６を経て排出するように構成されている。なお、演出基板ケース６２、液晶基板ケース６３は上部カバー６４の裏側に装着され、主基板ケース６１は集球ケース６５の裏側に装着されている。
【００４２】
前枠２の裏側上部には、裏カバー６０の上側に遊技球タンク６７ａとタンクレール６７ｂとを備えたタンクユニット６７が配置され、また裏カバー６０の左右一側に払い出し手段６８ａと払い出し通路６８ｂとを備えた払い出しユニット６８が配置されている。タンクユニット６７は上枠４５等の適当箇所に、また払い出しユニット６８は側枠５０等の適当箇所に夫々着脱自在に装着されており、遊技球が可変入賞手段３５等に入賞したとき、又は図外の自動球貸し機から球貸し指令があったときに、遊技球タンク６７ａ内のタンクレール６７ｂを経て払い出し手段６８ａにより払い出し、その遊技球を払い出し通路６８ｂを経て球供給皿１９に案内するようになっている。
【００４３】
また裏カバー６０の下側で下セット板１０の裏側には、左右の側枠５０等の適当箇所に基板装着台６９が着脱自在に装着され、この基板装着台６９の背面側に、例えば電源基板７０ａが格納された電源基板ケース７０と、払い出し制御基板７１ａが格納された払い出し基板ケース７１とが着脱自在に装着されている。
【００４４】
枠側ジョイント部１４は、図２に示すように、原点と反対側の固定手段５２の上側近傍において遊技盤装着部９内の下隅部に前向きに配置され、この枠側ジョイント部１４と前後に対向して遊技盤の集球ケース６５の一側下部の裏面側に盤側ジョイント部１２が装着されている。
【００４５】
枠側ジョイント部１４は、図１１、図１２に示すように、中空状のジョイントケース７３を備え、このジョイントケース７３の前面に上下方向に複数の枠側コネクタ１３が上下、左右に浮動可能に配置されている。各枠側コネクタ１３はその長手方向が左右方向に配置され、左右両端部の遊動孔７２に挿入された支持筒体７５により遊動自在に支持されている。支持筒体７５はネジ７５ａによりジョイントケース７３に固定されている。なお、各枠側コネクタ１３はジョイントケース７３の内部で枠側ハーネス（図示省略）に接続され、その枠側ハーネスを介して所要部位に接続されている。
【００４６】
ジョイントケース７３は前部ケース７３ａと後部ケース７３ｂとを有し、補強部材７４の支持部７４ａに裏側から装着されている。補強部材７４は側枠５０と下セット板１０とを補強するためのものであり、遊技盤３と略平行に設けられたその支持部７４ａに枠側ジョイント部１４が装着されている。補強部材７４は支持部７４ａから下側に伸びる下取り付け部７４ｂと、支持部７４ａ及び下取り付け部７４ｂから側枠５０に沿って前側へと屈曲する横取り付け部７４ｃとを一体に有する。
【００４７】
下取り付け部７４ｂは下セット板１０の上部側の裏面、取り分けその補強部１０ｃの裏面に固定具７６、例えば固定ネジ７６ａにより着脱自在に固定され、横取り付け部７４ｃは側枠５０の側板部５０ａの後部側に内側面又は外側面に固定ネジ７６ｂにより着脱自在に固定されている。補強部１０ｃは後方に突出する取り付けボス等の複数個の固定部７７を有し、その固定部７７に下取り付け部７４ｂを挿通して裏側から螺合する固定ネジ７６ａにより補強部材７４が固定されている。
【００４８】
盤側ジョイント部１２は、図１１、図１２に示すように、集球ケース６５の膨出部６５ａよりも低く形成された段部６５ｂの裏面に配置されている。即ち、集球ケース６５は、後方に膨出する膨出部６５ａと、この膨出部６５ａの一端側下部で遊技盤３の下隅の近傍に枠側ジョイント部１４に対応して設けられた段部６５ｂとを有し、その段部６５ｂの裏側に盤側ジョイント部１２が配置されている。盤側ジョイント部１２は保護カバー７８により裏側から保護されている。
【００４９】
各盤側コネクタ１１は各枠側コネクタ１３に対応して長手方向を左右方向にして上下方向に複数個配置されており、中継基板７９の裏面に個別に着脱自在に固定されている。各盤側コネクタ１１は枠側コネクタ１３が挿脱自在に挿入される凹部１１ａと、この凹部１１ａ内に左右方向に配列された多数の接触ピン１２ｂとを有し、枠側コネクタ１３が凹部１１ａに進入したときに、その接触ピン１２ｂが枠側コネクタ１３のピン孔に挿入されて両者が電気的に接続するようになっている。なお、枠側コネクタ１３、盤側コネクタ１１は、両者を相対的に接続方向に案内する案内部を有する。
【００５０】
各中継基板７９は左右両端側でネジ等により集球ケース６５の段部６５ｂに着脱自在に固定されている。また中継基板７９は膨出部６５ａ側の端部に中継コネクタ８０を有し、その中継コネクタ８０に盤側ハーネス８１が着脱自在に接続されている。盤側コネクタ１１、枠側コネクタ１３は、係合部５７側を原点として遊技盤３が回動したときに、原点を中心とする接線方向に両者が挿脱するようになっている。なお、中継基板７９は盤側コネクタ１１毎に独立して設けてもよいし、一個にしてもよい。
【００５１】
保護カバー７８は、中継基板７９を裏側から保護する基板保護部７８ａと、この基板保護部７８ａの膨出部６５ａ側の端部から膨出部６５ａの側壁に沿って斜め後方へと屈曲する隔壁部７８ｂとを一体に備え、裏側から中継基板７９に当接して集球ケース６５の段部６５ｂにネジ等により着脱自在に固定されている。隔壁部７８ｂは盤側コネクタ１１の後方側と盤側ハーネス８１との間に配置されている。
【００５２】
上記構成のパチンコ機において、遊技盤３を遊技盤装着部９に装着する場合には、遊技盤３の左側の端部を遊技盤装着部９の側枠５０側で補強部１０ｃ，４５ｃと係合部５７との間に挿入した後、遊技盤３の反対側を遊技盤装着部９内へと押し込み、遊技盤装着部９内で固定手段５２により固定する。
【００５３】
遊技盤３の係合部５７側の左前縁を原点位置として遊技盤３の反対側を遊技盤装着部９内に押し込むときに、盤側ジョイント部１２の盤側コネクタ１１が枠側ジョイント部１４１４の枠側コネクタ１３の前側に対応する。そして、遊技盤３を更に押し込むと、枠側コネクタ１３が盤側コネクタ１１の凹部１１ａ内に相対的に進入するため、両コネクタ１１，１３を介して前枠２側と遊技盤３側との電気系統を一括して接続することができる。そして、盤側コネクタ１１が枠側コネクタ１３に接続した後、上下の固定手段５２により遊技盤３を遊技盤装着部９内で固定すればよい。
【００５４】
前枠２は遊技盤３の上下に配置された上枠４５及び下セット板１０と、上枠４５及び下セット板１０の左右両側に装着された左右一対の側枠５０とを含む分割構造としているが、上枠４５の左右両端に下向きに突出する取り付け部４６を、下セット板１０の左右両端に上向きに突出する取り付け部４７を夫々備えているので、各取り付け部４６，４７に固定ネジ４８ａ，４９ａにより側枠５０を固定しているにも拘わらず、各取り付け部４６，４７が上枠４５、下セット板１０の上下幅内に収まる場合に比較して側枠５０の取り付け幅が大となり、前枠２の剛性を容易に確保することができる。
【００５５】
また上枠４５及び下セット板１０の取り付け部４６，４７の上下幅が大になるため、その取り付け部４６，４７の上下幅内にヒンジ７，８を配置することが可能であり、特に各ヒンジ７，８の近傍に、側枠５０を固定具４８，４９により固定する固定部４６ａ，４７ａを配置する等により、ヒンジ７，８から側枠５０を介して固定具４８，４９に離脱方向に加わる荷重を軽減でき、前枠２の剛性を向上させることができる。
【００５６】
しかも上枠４５はその上枠部４５ａの両端部から遊技盤３の左右両側へと下向きに突出する下向き突出部４５ｂと、上枠部４５ａと下向き突出部４５ｂとを連結して補強し且つ遊技盤３が前側から当接する補強部４５ｃとを一体に備え、また下セット板１０はその遊技盤支持部１０ａの両端部から遊技盤３の左右両側へと上向きに突出する上向き突出部１０ｂと、遊技盤支持部１０ａと上向き突出部１０ｂとを連結して補強し且つ遊技盤３が前側から当接する補強部１０ｃとを一体に備えているので、遊技盤３の遊技領域４に影響することなく補強部１０ｃにより突出部１０ｂ，４５ｂを補強できる。従って、上枠４５及び下セット板１０の強度を確保しながら、その両端の取り付け部４６，４７の上下幅を大にすることができる。
【００５７】
また上枠４５及び下セット板１０を合成樹脂製とした場合には、突出部１０ｂ，４５ｂ、補強部１０ｃ，４５ｃ及び取り付け部４６，４７を容易に設けることができる。更に下セット板１０と側枠５０とを連結して補強する補強部材７４を設けることにより、下セット板１０を合成樹脂製とし、側枠５０を金属製とする場合でも、その両者の結合部分の強度を容易に確保できる。また枠側コネクタ１３を有する枠側ジョイント部１４を補強部材７４に設けることにより、補強部材７４を枠側ジョイント部１４の取り付け用として活用することができる。
【００５８】
図１３及び図１４は本発明の第２の実施形態を例示する。この実施形態では、上枠４５、下セット板１０の左右両端部に突出部１０ｂ，４５ｂと補強部１０ｃ，４５ｃとが一体に設けられているが、補強部１０ｃ，４５ｃの高さが突出部１０ｂ，４５ｂの高さよりも若干低くなっている。また枠側ジョイント部１４の枠側コネクタ１３、盤側ジョイント部１２の盤側コネクタ１１は縦長状に配置され、左右方向に複数個設けられている。他の構成は第１の実施形態と同様である。
【００５９】
各突出部１０ｂ，４５ｂを補強する補強部１０ｃ，４５ｃを設ける場合、この実施形態ように突出部１０ｂ，４５ｂと補強部１０ｃ，４５ｃとを同一高さにする必要はなく、補強部１０ｃ，４５ｃで突出部１０ｂ，４５ｂを補強できる構造であればよい。また枠側ジョイント部１４の枠側コネクタ１３、盤側ジョイント部１２の盤側コネクタ１１は、この実施形態のように上下方向に設けてもよい。また枠側ジョイント部１４の枠側コネクタ１３、盤側ジョイント部１２の盤側コネクタ１１は、側枠５０に沿って一列状に設けてもよい。
【００６０】
図１５は本発明の第３の実施形態を例示する。この実施形態の補強部材７４は、補強部材７４側に、枠側ジョイント部１４の下側から前側へと屈曲する屈曲部７４ｄと、屈曲部７４ｄの前端から下方に屈曲する下取り付け部７４ｂとを備え、その下取り付け部７４ｂが下セット板１０の裏側の取り付けボス等の固定部７７に固定ネジ７６ａにより固定されている。他の構成は第１の実施形態と同様である。
【００６１】
このように補強部材７４に前側に屈曲する屈曲部７４ｄを介して下取り付け部７４ｂを設け、その下取り付け部７４ｂを下セット板１０の裏側の固定部７７に固定することにより、下セット板１０側の固定部７７の後方への突出量を小さく抑えることができる。
【００６２】
図１６は本発明の第４の実施形態を例示する。この実施形態の補強部１０ｃは上面が傾斜面１０ｄとなっている。他の構成は第１の実施形態と同様である。このように補強部１０ｃ，４５ｃは突出部１０ｂ，４５ｂを補強できるものであれば、突出側の端面が傾斜面１０ｄ、その他の形状でもよい。
【００６３】
図１７は本発明の第５の実施形態を例示する。この実施形態の上向き突出部１０ｂ及び補強部１０ｃは前後方向の寸法が略同じであって、その前面側が面一状になっている。下セット板１０の左右両側から上向き突出部１０ｂに跨がって取り付け部４７が設けられ、その取り付け部４７には上向き突出部１０ｂの上部、遊技盤支持部１０ａの両側を含む箇所に固定部４７ａが設けられ、その各固定部４７ａに螺合する固定ネジ４９ａにより下セット板１０と側枠５０とが固定されている。補強部材７４の下部は下セット板１０の上向き突出部１０ｂ及び補強部１０ｃに設けられた固定部４７ａに固定ネジ４９ａにより固定されている。他の構成は第１の実施形態と同様である。
【００６４】
このように突出部１０ｂと補強部１０ｃの前面を略面一にして、両者に遊技盤３が当接するようにしてもよい。また補強部材７４は突出部１０ｂと補強部１０ｃとの両者に跨がって装着するようにしてもよい。なお、突出部１０ｂ、補強部１０ｃが中空状の場合には、左右方向に複数個のリブを上下方向に設ける等、内部側に適宜補強構造を設けることが望ましい。
【００６５】
図１８は本発明の第６の実施形態を例示する。この実施形態の下セット板１０の左右両端部の上向き突出部１０ｂ内に、縦横の補強リブ等により構成された補強部１０ｅを設け、この補強部１０ｅにより中空状の上向き突出部１０ｂを内側から補強するようにしており、各実施形態に示すような補強部１０ｃはない。また遊技盤３は上向き突出部１０ｂの前面に当接するようになっている。他の構成は第１の実施形態と同様である。
【００６６】
このように下セット板１０、上枠４５に突出部１０ｂ，４５ｂを設けるに当たっては、その突出部１０ｂ，４５ｂの内部に補強部１０ｅを設けることも可能であり、内部に補強部１０ｅを設けた場合には、外側から補強する補強部１０ｃを省略することができる。また遊技盤３を突出部１０ｂ，４５ｂの前面に当接することにより、遊技盤３を裏側から支持することもできる。
【００６７】
以上、本発明の各実施形態について詳述したが、本発明はこれらの実施形態に限定されるものではなく、本発明の趣旨を逸脱しない範囲で種々の変更が可能である。例えば、実施形態では下セット板１０、上枠４５の左右両端に突出部１０ｂ，４５ｂを設け、この突出部１０ｂ，４５ｂの端面を含む左右両端に取り付け部４６，４７を形成しているが、取り付け部４６，４７の上下幅を拡大できる構造であれば、必ずしも突出部１０ｂ，４５ｂを設ける必要はない。また下セット板１０、上枠４５の左右両端に突出部１０ｂ，４５ｂを設け、この突出部１０ｂ，４５ｂを補強部１０ｃ，４５ｃで補強する構造を採用しているが、突出部１０ｂ，４５ｂ自体が十分な強度を有する場合には、補強部１０ｃ，４５ｃを省略することができる。従って、補強部１０ｃ，４５ｃは必須ではない。
【００６８】
上枠４５、下セット板１０の形状、構造は適宜変更可能である。また下セット板１０と側枠５０とを補強する補強部材７４を備え、この補強部材７４に枠側ジョイント部１４を設けているが、枠側ジョイント部１４は他の部材に設けてもよいし、枠側ジョイント部１４及び補強部材７４を共に省略してもよい。
【００６９】
下セット板１０と側枠５０との結合部を補強する補強部材７４は平面視Ｌ字状に形成して、その一辺側を側枠５０の側面に結合し、他の一辺側を下セット板１０の裏面に結合してもよい。更に本発明はパチンコ機に限らず、アレンジボール機、雀球遊技機等の各種の弾球遊技機においても同様に実施することが可能である。
【符号の説明】
【００７０】
１  外枠
２  前枠
３  遊技盤
４  遊技領域
９  遊技盤装着部
１０  下セット板
１０ａ  遊技盤支持部
１０ｂ  上向き突出部
１０ｃ  補強部
１１  盤側コネクタ
１２  盤側ジョイント部
１３  枠側コネクタ
１４  枠側ジョイント部
４５  上枠
４５ａ  上枠部
４５ｂ  下向き突出部
４５ｃ  補強部
４６，４７  取り付け部
４８ａ，４９ａ  固定ネジ
５０  側枠
５２  固定手段
７４  補強部材
【図１】
2014083276.tif 000003
【図２】
2014083276.tif 000004
【図３】
2014083276.tif 000005
【図４】
2014083276.tif 000006
【図５】
2014083276.tif 000007
【図６】
2014083276.tif 000008
【図７】
2014083276.tif 000009
【図８】
2014083276.tif 000010
【図９】
2014083276.tif 000011
【図１０】
2014083276.tif 000012
【図１１】
2014083276.tif 000013
【図１２】
2014083276.tif 000014
【図１３】
2014083276.tif 000015
【図１４】
2014083276.tif 000016
【図１５】
2014083276.tif 000017
【図１６】
2014083276.tif 000018
【図１７】
2014083276.tif 000019
【図１８】
2014083276.tif 000020